(57)【特許請求の範囲】
【請求項１】
使用者の存在の有無を検出する人体検知センサーを備えた電気こたつにおいて、
メインヒーターとこのメインヒーターより消費電力の小さいサブヒーターとから構成されて暖房空間内を暖めるための電気ヒーターと、
前記人体検知センサーを作用させるか否かを選択するための人体検知センサー入切スイッチと、
前記メインヒーターを通電させるか前記サブヒーターを通電させるかを切り替えるスイッチを備えたリレーと、
前記人体検知センサー入切スイッチの操作により前記人体検知センサーを作用させることを選択している場合に、前記人体検知センサーによって前記使用者の存在を検出したときには通常状態モードとするように前記リレーの前記スイッチの一方の接点を介して前記メインヒーターを通電するように切り替えると共に前記使用者の不存在を所定時間検出したときには待機状態モードとするように前記リレーを励磁して切り替えられた前記スイッチの他方の接点を介して前記サブヒーターを通電するように切り替える制御手段とを設けたことを特徴とする電気こたつ。
【請求項２】
使用者の存在の有無を検出する人体検知センサーを備えた電気こたつにおいて、
暖房空間内を暖めるための電気ヒーターと、
この電気ヒーターに接続される電流制限素子と、
前記人体検知センサーを作用させるか否かを選択するための人体検知センサー入切スイッチと、
前記電気ヒーターに前記電流制限素子と並列に接続されるスイッチを備え、閉成している前記スイッチを介して前記電気ヒーターに通電すると共に前記電流制限素子を介して前記電気ヒーターに通電して前記電気ヒーターへの電流の流れる量の制限を解除した状態で前記電気ヒーターに通電するか、前記スイッチを開成させることにより前記電流制限素子により前記電気ヒーターへの電流の流れる量を制限した状態で前記電気ヒーターに通電させるかを切り替えるリレーと、
前記人体検知センサー入切スイッチの操作により前記人体検知センサーを作用させることを選択している場合に、前記人体検知センサーによって前記使用者の存在を検出したときには通常状態モードとするように前記リレーの閉成している前記スイッチを介して前記電気ヒーターに通電すると共に前記電流制限素子を介して前記電気ヒーターに通電して前記電気ヒーターへの電流の流れる量の制限を解除した状態で前記電気ヒーターに通電するように切り替え、前記使用者の不存在を所定時間検出したときには待機状態モードとするように前記リレーを励磁して前記スイッチを開成して前記電流制限素子により前記電気ヒーターへの電流の流れる量を制限した状態で前記電気ヒーターに通電するように切り替える制御手段とを設けたことを特徴とする電気こたつ。
【請求項３】
使用者の存在の有無を検出する人体検知センサーを備えた電気こたつにおいて、
暖房空間内を暖めるための電気ヒーターと、
この電気ヒーターに接続される半波整流素子と、
前記人体検知センサーを作用させるか否かを選択するための人体検知センサー入切スイッチと、
前記電気ヒーターに前記半波整流素子と並列に接続されるスイッチを備え、閉成している前記スイッチを介して前記電気ヒーターに通電すると共に前記半波整流素子を介して前記電気ヒーターに通電して前記電気ヒーターへの電流の流れる量の制限を解除した状態で前記電気ヒーターに通電するか、前記スイッチを開成させることにより前記半波整流素子による半波整流によりその発熱量を抑制するように前記電気ヒーターに通電させるかを切り替えるリレーと、
前記人体検知センサー入切スイッチの操作により前記人体検知センサーを作用させることを選択している場合に、前記人体検知センサーによって前記使用者の存在を検出したときには通常状態モードとするように前記リレーの閉成している前記スイッチを介して前記電気ヒーターに通電すると共に前記半波整流素子を介して前記電気ヒーターに通電して前記電気ヒーターへの電流の流れる量の制限を解除した状態で前記電気ヒーターに通電するように切り替え、待機状態モードとするように前記リレーを励磁して前記スイッチを開成して前記半波整流素子による半波整流によりその発熱量を抑制するように前記電気ヒーターに通電するように切り替える制御手段とを設けたことを特徴とする電気こたつ。
【発明の詳細な説明】
【技術分野】
【０００１】
本発明は、使用者の存在の有無を検出する人体検知センサーを用いて省エネ制御が行えるようにした電気こたつに関する。
【背景技術】
【０００２】
従来、この種の電気こたつでは、人体検知センサーを用いて使用者の存在の有無を検出し、使用者が所定時間、電気こたつを使用していないときには電気ヒーターの通電を停止させるようして省エネが図れるようにしている。
【０００３】
上述した電気こたつでは、人体検知センサーによる電気ヒーターの通電停止中に使用者が電気こたつの中に足を入れ、人体検知センサーが使用者の存在を検出すると、電気ヒーターの通電を再開するようにしているが、近年、消し忘れ防止等の安全上の見地から、人体検知センサーにより電気ヒーターの通電を停止した場合には、その後、人体検知センサーが使用者の存在を検出しても電気ヒーターの通電が自動的に再開されないようにしている（特許文献１参照）。
【先行技術文献】
【特許文献】
【０００４】
【特許文献１】登録実用新案第３０８３８９３号公報
【発明の概要】
【発明が解決しようとする課題】
【０００５】
上述した電気こたつでは、人体検知センサーにより電気ヒーターの通電が停止されると、通電再開時に、折角、温まった電気こたつの中が冷え切ってしまい、使用者に不快感を与える心配があった。また、後者のように、人体検知センサーが使用者の存在を検出しても電気ヒーターの通電が自動的に再開されないようにしたものでは、一旦、運転スイッチを切り、再投入するという復帰操作（リセット操作）が必要となり、この操作が使用者にとって煩わしいものであった。
【０００６】
そこで本発明は、上記の点に鑑み、人体検知センサーを用いて使用者の有無を検出して電気ヒーターの通電を制御するようにした電気こたつにおいて、使用者の快適性や利便性を損なうことなく、省エネが図れ、安全性も維持できるようにすることを目的とする。
【課題を解決するための手段】
【０００７】
このため第１の電気こたつに係る発明は、使用者の存在の有無を検出する人体検知センサーを備えた電気こたつにおいて、
メインヒーターとこのメインヒーターより消費電力の小さいサブヒーターとから構成されて暖房空間内を暖めるための電気ヒーターと、
前記人体検知センサーを作用させるか否かを選択するための人体検知センサー入切スイッチと、
前記メインヒーターを通電させるか前記サブヒーターを通電させるかを切り替えるスイッチを備えたリレーと、
前記人体検知センサー入切スイッチの操作により前記人体検知センサーを作用させることを選択している場合に、前記人体検知センサーによって前記使用者の存在を検出したときには通常状態モードとするように前記リレーの前記スイッチの一方の接点を介して前記メインヒーターを通電するように切り替えると共に前記使用者の不存在を所定時間検出したときには待機状態モードとするように前記リレーを励磁して切り替えられた前記スイッチの他方の接点を介して前記サブヒーターを通電するように切り替える制御手段とを設けたことを特徴とする。
【０００８】
第２の発明は、使用者の存在の有無を検出する人体検知センサーを備えた電気こたつにおいて、
暖房空間内を暖めるための電気ヒーターと、
この電気ヒーターに接続される電流制限素子と、
前記人体検知センサーを作用させるか否かを選択するための人体検知センサー入切スイッチと、
前記電気ヒーターに前記電流制限素子と並列に接続されるスイッチを備え、閉成している前記スイッチを介して前記電気ヒーターに通電すると共に前記電流制限素子を介して前記電気ヒーターに通電して前記電気ヒーターへの電流の流れる量の制限を解除した状態で前記電気ヒーターに通電するか、前記スイッチを開成させることにより前記電流制限素子により前記電気ヒーターへの電流の流れる量を制限した状態で前記電気ヒーターに通電させるかを切り替えるリレーと、
前記人体検知センサー入切スイッチの操作により前記人体検知センサーを作用させることを選択している場合に、前記人体検知センサーによって前記使用者の存在を検出したときには通常状態モードとするように前記リレーの閉成している前記スイッチを介して前記電気ヒーターに通電すると共に前記電流制限素子を介して前記電気ヒーターに通電して前記電気ヒーターへの電流の流れる量の制限を解除した状態で前記電気ヒーターに通電するように切り替え、前記使用者の不存在を所定時間検出したときには待機状態モードとするように前記リレーを励磁して前記スイッチを開成して前記電流制限素子により前記電気ヒーターへの電流の流れる量を制限した状態で前記電気ヒーターに通電するように切り替える制御手段とを設けたことを特徴とする。
【０００９】
第３の発明は、使用者の存在の有無を検出する人体検知センサーを備えた電気こたつにおいて、
暖房空間内を暖めるための電気ヒーターと、
この電気ヒーターに接続される半波整流素子と、
前記人体検知センサーを作用させるか否かを選択するための人体検知センサー入切スイッチと、
前記電気ヒーターに前記半波整流素子と並列に接続されるスイッチを備え、閉成している前記スイッチを介して前記電気ヒーターに通電すると共に前記半波整流素子を介して前記電気ヒーターに通電して前記電気ヒーターへの電流の流れる量の制限を解除した状態で前記電気ヒーターに通電するか、前記スイッチを開成させることにより前記半波整流素子による半波整流によりその発熱量を抑制するように前記電気ヒーターに通電させるかを切り替えるリレーと、
前記人体検知センサー入切スイッチの操作により前記人体検知センサーを作用させることを選択している場合に、前記人体検知センサーによって前記使用者の存在を検出したときには通常状態モードとするように前記リレーの閉成している前記スイッチを介して前記電気ヒーターに通電すると共に前記半波整流素子を介して前記電気ヒーターに通電して前記電気ヒーターへの電流の流れる量の制限を解除した状態で前記電気ヒーターに通電するように切り替え、前記使用者の不存在を所定時間検出したときには待機状態モードとするように前記リレーを励磁して前記スイッチを開成して前記半波整流素子による半波整流によりその発熱量を抑制するように前記電気ヒーターに通電するように切り替える制御手段とを設けたことを特徴とする。
【発明の効果】
【００１１】
本発明によれば、人体検知センサーによって使用者の不存在を所定時間検出したときには、制御手段によってリレーを励磁させてそのスイッチを切り替えて電気ヒーターをメインヒーターから消費電力の小さいサブヒーターに切り替え等して、電気ヒーターに電流の流れる量を制限する待機状態モードとし、またこの待機状態モードにあるときに人体検知センサーによって使用者の存在を検出したときには、前記制御手段によって前記スイッチを切り替えて電気ヒーターへの電流の流れる量の制限を解除して通常状態モードとするようにしたので、待機状態モード中であっても電気こたつの中が冷え切らないようにでき、待機状態モードから通常状態モードに戻った際の使用者に不快感を与えないようにできると共に、待機状態モードから通常状態モードへの自動復帰が可能で使用者の利便性を損なうことがなく、快適性及び利便性に優れており、省エネ性や安全性にも優れたものであります。
【図面の簡単な説明】
【００１２】
【図１】電気こたつの縦断面図である。
【図２】電気こたつを下方から観た平面図である。
【図３】第1の実施形態を示す電気こたつの電気回路図である。
【図４】第２の実施形態を示す電気こたつの電気回路図である。
【図５】第３の実施形態を示す電気こたつの電気回路図である。
【発明を実施するための形態】
【００１３】
以下図１乃至図５に基づき、本発明の実施の形態について説明する。先ず、図１において、１は電気カーペットなどの略中央に載置される電気こたつで、矩形をなす本体型枠２内に設けた天板３の略中央下部に下方から吸込んだ空気を放射状に水平方向に送風する送風機４及び例えば石英管の中に通電により赤熱するタングステン線ヒーターを内蔵しハロゲン化合物、不活性ガスを封入した電気ヒーター５を備えている。
【００１４】
本体型枠２をこの４隅に配した支持脚６ａ、６ｂ、６ｃ、６ｄにより床面上に支持することで暖房空間Ｓを形成している。また、この本体型枠２の上部には支持脚６ａ、６ｂ、６ｃ、６ｄの外側を覆うこたつ布団７を介して卓板８を載置している。そして、電気こたつ１の暖房空間Ｓ内に足や身体を入れたときに前記電気ヒーター５に直接触れて火傷などが起こるのを防止する網目状の保護カバー９が設けられている。
【００１５】
１０は電源を電気ヒーター５に供給する電源線で、一端を負荷としての電気ヒーター５及び送風機４を備えたヒーターユニット１１と接続する負荷側プラグ１２に接続するとともに、その途中に人体検知センサーユニット１３と運転スィッチ１４を有するコントローラ１５を介して他端をＡＣ１００Ｖの商用電源１６の電源コンセント１７に接続するための電源プラグ１８に接続している。
【００１６】
上述した人体検知センサーユニット１３は、１つの支持脚６ａの暖房空間Ｓ側に着脱自在に固定され、後述するように人体（使用者）を検出するための焦電型赤外線センサーからなる人体検知センサー１９等が設けられている。そして、人体検知センサー１９の検出部が暖房空間Ｓの対角線上にある支持脚６ｂに対向する位置に配置され、暖房空間Ｓ内における使用者の有無を検出するようにしている。
【００１７】
次に、図３に基づき、第１の実施形態の電気こたつ１の電気回路について詳述する。電源線１０にはコントローラ１５、人体検知センサーユニット１３及びヒーターユニット１１が接続され、前記コントローラ１５では電源線１０に前記運転スイッチ１４が接続されている。
【００１８】
プリント基板Ｐ上に搭載された前記人体検知センサーユニット１３は制御手段であるセンサー制御回路２０を有し、センサー制御回路２０には上述した人体検知センサー１９、人体検知センサー入切スイッチ２１、人体検知センサー入切表示ランプ２２、温度保護装置２３及びリレー２４が接続されている。そして、前記リレー２４のリレースイッチ２４１が電源線１０に接続されている。そして、リレースイッチ２４１の常閉接点２４１ｂが負荷側プラグ１２のＡ端子に接続されると共に、常開接点２４１ａが負荷側プラグ１２のＣ端子に接続されている。
【００１９】
前記センサー制御回路２０はタイマ機能を有し、制御手段、記憶手段等を内蔵したマイクロコンピュータなどから構成され、人体検知センサー入切スイッチ２１の閉成（ＯＮ）、開成（ＯＦＦ）に基づいて人体検知センサー表示ランプ２２への通電、非通電を制御し、また人体検知センサー１９による人体の有無検出に基づいて前記リレー２４の通電、非通電を制御する。
【００２０】
前記人体検知センサー１９は、例えば波長９．０μｍの赤外線焦電型のものである。そして、人体検知センサー入切スイッチ２１が閉成（ＯＮ）されているとき、使用者全員が電気こたつから出て使用者が電気こたつ１の中に一人も入ってないことを人体検知センサー１９が検出すると、センサー制御回路２０のタイマがカウントを開始し、所定時間、例えば１５分間継続して人を検出しない場合には、センサー制御回路２０がリレー２４を励磁させ、リレースイッチ２４１が常閉接点２４１ｂから常開接点２４１ａに切換わる。
【００２１】
その後、少なくとも一人の使用者が電気こたつ１の中に入ったことを人体検知センサー１９が検出すると、センサー制御回路２０はリレー２４を消磁させ、リレースイッチ２４１が常開接点２４１ａから常閉接点２４１ｂに切換わる。尚、人体検知センサー入切スイッチ２１が開成（ＯＦＦ）されている場合、センサー制御回路２０は人体検知センサー１９による人の有無の検出にかかわらずリレー２４を励磁することはなく、リレースイッチ２４１は常閉接点２４１ｂに入ったままである。
【００２２】
前記ヒーターユニット１１は、負荷側プラグ１２のＡ端子及びＢ端子間に電気ヒーター５のメインヒーター５１とこのメインヒーター５１と並列に接続された送風機４のファンモータ４ａがサーモスタット２５及び温度ヒューズ２６を介して接続されている。また、負荷側プラグ１２のＣ端子及びＢ端子間にメインヒーター５１（例えば、抵抗値２０Ω）よりも抵抗値が高く消費電力の小さいサブヒーター５２（例えば、抵抗値１００ｋΩ）がサーモスタット２５及び温度ヒューズ２６を介して接続されている。前記サーモスタット２５は暖房空間Ｓの温度を調節するものであり、温度ヒューズ２６は電気ヒーター５の異常加熱時に溶断して通電を遮断するものである。
【００２３】
次に、上述する構成による電気こたつ１の動作について説明する。先ず、商用電源１６の電源コンセント１７に電源プラグ１８が接続している状態において、コントローラ１５の運転スイッチ１４を閉成すると、リレースイッチ２４１、サーモスタット２５及び温度ヒューズ２６を介して電気ヒーター５のメインヒーター５１と送風機４のファンモータ４ａに電源が供給される。従って、電気ヒーター５により暖められた暖気が送風機４により電気こたつ１内の暖房空間Ｓ内を循環する。
【００２４】
そして、使用者により人体検知センサー入切スイッチ２１が閉成されている状態で、前述の如く、運転スイッチ１４の閉成により人体検知センサーユニット１３に電源が供給されると、人体検知センサー入切表示ランプ２２が点灯するとともに人体検知センサー１９は暖房空間Ｓ内での人体が発する赤外線を検出することで、この空間Ｓ内での使用者の有無検出を開始する。
【００２５】
そして、前記センサー制御回路２０のタイマが計時により、人体検知センサー１９の赤外線入射量が連続して所定時間（例えば１５分間）変化しない時には、使用者が不在であるとセンサー制御回路２０が判断して、リレー２４を励磁させる。このため、リレースイッチ２４１が常閉接点２４１ｂから常開接点２４１ａに切換わり、電気ヒーター５への通電はメインヒーター５１から電力消費の小さい（発熱量が通常状態モードより小さい）サブヒーター５２へ切換るとともに、ファンモータ４ａの通電が停止し、送風機４が停止する待機状態モードとなる。このとき、サブヒーター５２によって暖房空間Ｓが僅かながら加熱されるため、暖房空間Ｓが冷え切ってしまうことはない。
【００２６】
その後、人体検知センサー１９による待機状態モード中に、使用者が暖房空間Ｓ内に足を入れ、人体検知センサー１９がこれを検出すると、使用者がいるとセンサー制御回路２０が判断して、リレー２４を消磁させ、リレースイッチ２４１が常開接点２４１ａから常閉接点２４１ｂに切換わる。このため、電気ヒーター５への通電はサブヒーター５２からメインヒーター５１へ切換るとともに、ファンモータ４ａの通電が再開し、送風機４が運転する電力消費の大きい（発熱量が待機状態モードより大きい）通常状態モードとなる。このとき、暖房空間Ｓが僅かながら加熱されていたため、使用者が暖房空間Ｓに足を入れた際に、不快に感じることがないようにできる。
【００２７】
このように、使用者の有無状態を検出して上述の動作を繰り返すことで、使用者がコントローラ１５の運転スイッチ１４を切り忘れても、自動的に省エネ、かつ安全な待機状態モードとなり、待機状態モード中に使用者が電気こたつ１の中に足を入れると、運転スイッチ１４の入れ直し等の復帰動作を行うことなく、自動的に通常状態モードとなって使用者の利便性を損なうこともない。
【００２８】
また、電源の初期通電時、例えばコントローラ１５の運転スイッチ１４を入れただけで、誰も電気こたつ１内の暖房空間Ｓ内で暖を取らなかった場合においては、使用者不存在を検出する所定時間である１５分後に電気ヒーター５のメインヒーター５１と送風機４のファンモータ４への通電を遮断して停止し、サブヒーター５２のみの通電の待機状態モードにすることができる。
【００２９】
さらに、人体検知センサー１９により使用者が不存在であることを検出する所定時間を、使用者が任意に選択設定できるようにする選択スイッチを人体検知センサーユニット１３に設けても良い。
【００３０】
以上のように、コントローラ１５の運転スイッチ１４を入れただけで、誰も電気こたつ１に入っていなく、暖房空間Ｓ内で暖を取らなかった場合においては、予め人体検知センサー入切スイッチ２１が閉成（ＯＮ）しておくことにより、人体検知センサーユニット１３が動作して使用者不存在を検出する所定時間である１５分後に電気ヒーター５のメインヒータ５１と送風機４のファンモータ４ａへの通電を遮断して停止するとともに、電力消費の小さなサブヒーター５２に通電する待機状態モードとなる。
【００３１】
また、待機状態モード中に人体検知センサー１９が人の存在を検出したときにはメインヒーター５２と送風機４のファンモータ４ａに通電する通常状態モードに自動的に戻すようにしたので、待機状態モード中であっても電気こたつ１の中が適度に保温され、待機状態モードから通常状態モードに戻った際に使用者に不快感を与えないようにできるとともに、待機状態モードから通常状態モードへの自動で復帰するので、使用者の利便性を損なうことがなく、快適性及び利便性に優れており、省エネ性や安全性にも優れている。
【００３２】
尚、人体検知センサー入切スイッチ２１が開成（ＯＦＦ）してある場合には、上述した人体検知センサー１９に基づく通常状態モードと待機状態モードの繰り返し制御が行われることはない。また、前記プリント基板Ｐの表面温度が異常な高い温度になったことを内蔵する温度検出センサが検出すると温度保護装置２３が作動し、センサー制御回路２０によってリレー２４を励磁し、リレースイッチ２４１をリレースイッチ２４１を常閉接点２４１ｂから常開接点２４１ａに切換えることにより、人体検知センサー入切スイッチ２１や人体検知センサー１９にかかわりなく通常状態モードから待機状態モードに切り替えることもできる。
【００３３】
図４は第２の実施形態の電気こたつ１の電気回路であり、特に第１の実施形態と相違する点について説明する。先ず、人体検知センサーユニット１３ではリレースイッチ２４２と並列に電流制限素子（抵抗値が、例えば７０ｋΩ）２７が接続され、これらの並列回路が負荷側プラグ１２のＡ端子に接続されている。また、ヒーターユニット１１では負荷側プラグ１２のＡ端子とＢ端子との間に電気ヒーター５３がサーモスタット２５及び温度ヒューズ２６を介して接続されている。この電気こたつ１では送風機を使用しておらず、またリレー２４のリレースイッチ２４２は開成又は閉成するものである。
【００３４】
図４の電気こたつ１では、使用者不存在を１５分間検出したときの前述の待機状態モードではリレー２４の励磁によりリレースイッチ２４２が開成し、電流制限素子２７により電気ヒーター５３への電流の流れる量を制限し（以下、「電流制限」という。）、この電流制限素子２７によって電気ヒーター５３の発熱量が大幅に制限され、省エネ性及び安全性を維持しながら、電気こたつ１の中が適度に保温され、冷え切らないようにできる。
【００３５】
また、待機状態モード中に人体検知センサー１９が人の存在を検知すると、リレー２４の消磁によりリレースイッチ２４２が閉成し、電気ヒーター５３への電流制限を解除する（電流制限素子２７の抵抗値の影響をあまり受けずに、電気ヒーター５３に流れる電流の量が待機状態モードより多い。）通常状態モードに自動復帰して、快適性及び利便性を損なわないようにしている。
【００３６】
図５は第３の実施形態の電気こたつ１の電気回路であり、人体検知センサーユニット１３ではリレースイッチ２４２と並列に半波整流素子である整流ダイオード２８が接続され、これらの並列回路が負荷側プラグ１２のＡ端子に接続されている。また、ヒーターユニット１１では負荷側プラグ１２のＡ端子とＢ端子との間に電気ヒーター５３がサーモスタット２５及び温度ヒューズ２６を介して接続されている。この電気こたつ１では送風機を使用していない。
【００３７】
図５の電気こたつ１では、待機状態モードではリレー２４の励磁によりリレースイッチ２４２が開成し、電気ヒーター５３と直列に整流ダイオード２８が投入されるため、整流ダイオード２８の半波整流によって電気ヒーター５３の発熱量が抑制され、省エネ性及び安全性を維持しながら、電気こたつ１の中が適度に保温され冷え切らないようにできる。
【００３８】
また、待機状態モード中に人体検知センサー１９が人の存在を検知すると、リレー２４の消磁によりリレースイッチ２４２が閉成し、電気ヒーター５３への電流制限を解除する通常状態モード（電気ヒーター５３に流れる電流の量が待機状態モードより多い。）に自動復帰して快適性及び利便性を損なわないようにしている。
【００３９】
なお、前記通常状態モードと待機状態モードとの電気こたつ１の暖房空間Ｓ内の温度の差は、設計により任意に適度に設定することができる。即ち、前記温度の差を大きく設計したり、小さく設計することができる。
【００４０】
また、図３乃至５に示すように、各実施形態において、前記人体検知センサーユニット１３と前記負荷側プラグ１２とを別体としたが、両者を一体化してもよい。
【００４１】
以上本発明の実施形態について説明したが、上述の説明に基づいて当業者にとって種々の代替例、修正又は変形が可能であり、本発明はその趣旨を逸脱しない範囲で前述の代替例、修正又は変形を包含するものである。
【符号の説明】
【００４２】
１                      電気こたつ
５                      電気ヒーター
５１                    メインヒーター
５２                    サブヒーター
５３                    電気ヒーター
１９                    人体検知センサー
２０                    センサー制御回路（制御手段）
２７                    電流制限素子
２８                    整流ダイオード（半波整流素子）
【要約】
【課題】人体検知センサーを用いて使用者の有無を検出して電気ヒーターを制御するようにした電気こたつにおいて、使用者の快適性や利便性を損なうことなく、省エネが図れ、安全性も維持できるようにすること。
【解決手段】使用者の存在の有無を検出する人体検知センサー１９を用いて電気ヒーター５の通電を制御する制御手段を備え、この制御手段は人体検知センサー１９によって使用者の不存在を検出したときには電気ヒーター５に流れる電流の量を制限する待機状態モードとし、待機状態モードにあるときに人体検知センサー１９によって使用者の存在を検出したときには電気ヒーター５への電流制限を解除して通常状態モードとする。
【選択図】図３【図１】
0005281172.tif 000002
【図２】
0005281172.tif 000003
【図３】
0005281172.tif 000004
【図４】
0005281172.tif 000005
【図５】
0005281172.tif 000006